(57)【要約】【課題】簡易な構造で、容易な操作によりカップ容器を開封できるカップ容器用蓋体を提供すること。【解決手段】内容物が収容される有底筒状をなし、その口部がシール部材４により破断可能に閉塞された容器体の、前記口部に装着されるカップ容器用蓋体１であって、前記シール部材４上に配設される本体板８と、前記本体板８に形成された貫通孔９内に配設される回動板１１と、前記本体板８に対して前記回動板１１を回動可能に連結するヒンジ１２と、を備え、前記回動板１１は、一枚の板状体からなるとともに、前記ヒンジ１２からカップ容器１０の前方に向けて延びる刃部２２と、前記刃部２２から前記ヒンジ１２を越えてカップ容器１０の後方に向けて延びる二股状の操作部２３と、を備えることを特徴とする。【選択図】図１
2014069831.tif 000002
【特許請求の範囲】
【請求項１】
内容物が収容される有底筒状をなし、その口部がシール部材により破断可能に閉塞された容器体の、前記口部に装着されるカップ容器用蓋体であって、
前記シール部材上に配設される本体板と、
前記本体板に形成された貫通孔内に配設される回動板と、
前記本体板に対して前記回動板を回動可能に連結するヒンジと、を備え、
前記回動板は、一枚の板状体からなるとともに、
前記ヒンジからカップ容器の前方に向けて延びる刃部と、
前記刃部から前記ヒンジを越えてカップ容器の後方に向けて延びる二股状の操作部と、を備えることを特徴とするカップ容器用蓋体。
【請求項２】
請求項１に記載のカップ容器用蓋体であって、
前記操作部の後方端縁には、前方に向けて窪む凹部が形成されていることを特徴とするカップ容器用蓋体。
【請求項３】
請求項１又は２に記載のカップ容器用蓋体であって、
前記貫通孔内における前記操作部の後方に、隙間が形成されていることを特徴とするカップ容器用蓋体。
【発明の詳細な説明】
【技術分野】
【０００１】
本発明は、カップ容器用蓋体に関するものである。
【背景技術】
【０００２】
従来のカップ容器として、内容物が収容される有底筒状をなし、その口部がシール部材により破断可能に閉塞された容器体と、前記容器体の口部に装着されるカップ容器用蓋体と、を備えたものが知られている。
例えば、下記特許文献１に示されるカップ容器用蓋体は、容器体の口部に固定される支持部と、支持部に支持される操作部と、操作部を操作することにより作動させられて口部を開封する開封部と、を備えている。開封部及び操作部は薄肉部を介して一体とされ、操作部及び支持部は支持軸部を介して一体とされており、つまりこれらの開封部、操作部及び支持部は、薄肉部と支持軸部とを介して一体成形されている。このカップ容器用蓋体は、成形後、操作部及び開封部を支持部に対して回動させ、該支持部に係止させてから、容器体に装着される。さらに、使用に際しては、操作部を引き上げることで開封部を回動させ、該開封部により口部のシール部材を破断させた後、この開封部を支持部に係止するまで回動させている。
【先行技術文献】
【特許文献】
【０００３】
【特許文献１】特許第３６０７００２号公報
【発明の概要】
【発明が解決しようとする課題】
【０００４】
しかしながら、上記従来のカップ容器用蓋体では、簡易な構造で、容易な操作によりカップ容器を開封することに改善の余地があった。
【０００５】
本発明は、このような事情に鑑みてなされたものであって、簡易な構造で、容易な操作によりカップ容器を開封できるカップ容器用蓋体を提供することを目的としている。
【課題を解決するための手段】
【０００６】
前記課題を解決するために、本発明は以下の手段を提案している。
すなわち、本発明は、内容物が収容される有底筒状をなし、その口部がシール部材により破断可能に閉塞された容器体の、前記口部に装着されるカップ容器用蓋体であって、前記シール部材上に配設される本体板と、前記本体板に形成された貫通孔内に配設される回動板と、前記本体板に対して前記回動板を回動可能に連結するヒンジと、を備え、前記回動板は、一枚の板状体からなるとともに、前記ヒンジからカップ容器の前方に向けて延びる刃部と、前記刃部から前記ヒンジを越えてカップ容器の後方に向けて延びる二股状の操作部と、を備えることを特徴とする。
【０００７】
このカップ容器では、容器体の口部にカップ容器用蓋体が装着された状態で、該蓋体における回動板の一対（二股状）の操作部を引き上げる（容器軸方向に沿う容器外側に向けて操作する）ことで、この回動板においてこれら操作部とは反対側に位置する刃部が、ヒンジ回りに、操作部とは逆向きに（容器軸方向に沿う容器内側に向けて）回動させられるとともにシール部材に押し当てられ、該シール部材が破断されて、容器体の口部の閉塞が解除される。
【０００８】
本発明のカップ容器用蓋体によれば、該蓋体を構成する本体板、回動板及びヒンジを一体に成形でき、かつ、回動板が一枚の板状体からなるので、構造が簡単である。
また、このカップ容器用蓋体は、成形後に、そのまま容器体の口部に装着することができる。すなわち、従来のように、カップ容器用蓋体を成形後、容器体に装着するために予め回動・係止させるなど、面倒な操作を必要としていない。
【０００９】
そして、本発明のカップ容器用蓋体を容器体に装着した状態からは、回動板の操作部を引き上げるのみの簡単な操作によって、カップ容器を開封できる。
さらに、操作部が一対設けられているため、操作者がこれらの操作部に複数の指をかけて操作でき、刃部に容易に大きな力を伝えやすくなって、開封操作が安定する。
【００１０】
また、本発明のカップ容器用蓋体において、前記操作部の後方端縁には、前方に向けて窪む凹部が形成されていることとしてもよい。
【００１１】
この場合、操作部を引き上げる際、該操作部の凹部に操作者が指をかけて操作することができ、操作性が向上する。
【００１２】
また、本発明のカップ容器用蓋体において、前記貫通孔内における前記操作部の後方に、隙間が形成されていることとしてもよい。
【００１３】
この場合、操作部を引き上げる際、該操作部の後方の隙間に操作者が指を差し込んで操作でき、操作性が向上する。
【発明の効果】
【００１４】
本発明のカップ容器用蓋体によれば、簡易な構造で、容易な操作によりカップ容器を開封できる。
【図面の簡単な説明】
【００１５】
【図１】本発明の一実施形態に係るカップ容器用蓋体及びこれを装着したカップ容器を示す上面図である。
【図２】図１のカップ容器用蓋体及びカップ容器の要部を示す縦断面図である。
【発明を実施するための形態】
【００１６】
以下、図面を参照し、本発明の一実施形態に係るカップ容器用蓋体１及びこれを用いたカップ容器１０について説明する。
図１及び図２に示されるように、カップ容器１０は、内容物が収容される有底筒状をなし、その口部３がシール部材４により破断可能に閉塞された容器体２と、容器体２の口部３に装着されるカップ容器用蓋体１と、を備えている。また、シール部材４により密封された容器体２内には、内容物として、例えば飲料等の液体が収容される。
ここで、容器体２及びカップ容器用蓋体１の各中心軸線は、共通軸上に位置している。本明細書では、この共通軸を容器軸Ｏといい、容器軸Ｏに沿う方向（容器軸Ｏ方向）のうち、容器体２の底部側を下側といい、カップ容器用蓋体１側を上側といい、容器軸Ｏに直交する方向を径方向といい、容器軸Ｏ回りに周回する方向を周方向という。
【００１７】
容器体２は、該容器体２の胴部及び口部３を構成する周壁５と、底部を構成する底壁（不図示）と、を有している。周壁５は、前記底壁から上側に向かうに従い漸次拡径するテーパ筒状をなしており、該周壁５の上端開口部が、前記口部３となっている。
【００１８】
図２において、周壁５の口部３には、径方向内側に向けて突出するとともに周方向に沿って延びる突起１８が形成されている。突起１８は、内容物を収容する前のシール部材４が貼着されていない状態の容器体２を、容器軸Ｏ方向に複数重ねて保管する場合などにおいて、これら容器体２の周壁５同士が密着することを抑制して前記周壁５同士の間に隙間を形成するとともに、これら容器体２同士を容器軸Ｏ方向に離間させやすくする目的で設けられている。また、周壁５の上端開口部には、径方向外側に向けて突出するとともに周方向に沿って延びる環状のフランジ６が形成されている。
【００１９】
シール部材４は、例えばアルミ蒸着シートや積層されたプラスチックフィルムなどのバリア性シート材で構成されており、シール部材４の下面には熱溶着層が形成されている。シール部材４は、容器体２内に内容物が充填された後に、フランジ６の上面に熱溶着されており、内容物が容器外部に漏出しないように口部３を封止している。尚、シール部材４としてバリア性シート材を用いた場合には、空気などが容器体２内に侵入することを防止して内容物の変質を防ぐことができる。
【００２０】
カップ容器用蓋体１は、容器体２の口部３に装着される装着筒７と、装着筒７に支持されてシール部材４上に配設される本体板８と、本体板８に形成された貫通孔９内に配設される回動板１１と、本体板８に対して回動板１１を回動可能に連結するヒンジ１２と、を備えている。
ここで、回動板１１は、一枚の板状体からなるとともに、図１に示される上面視で、容器軸Ｏの一方側（図１における左側）に配置される刃部２２を備えている。本明細書においては、前記径方向のうち、容器軸Ｏから刃部２２へ向かう方向をカップ容器１０の前方といい、容器軸Ｏから刃部２２とは反対側（容器軸Ｏの他方側、図１における右側）へ向かう方向をカップ容器１０の後方といい、これら前方及び後方に直交する方向をカップ容器１０の側方（図１における上下方向）という。尚、前記側方は、カップ容器１０を前方から見たときの左方と右方とを含んでおり、つまり左右方向のうちいずれか又は両方である。
【００２１】
装着筒７は、容器体２のフランジ６に外嵌される嵌合筒部１３と、嵌合筒部１３上に立設されるガイド筒部１４と、を有している。
嵌合筒部１３は、周壁１５と、天壁１６と、を有している。図２に示される縦断面視で、周壁１５の外周面は、天壁１６の外周端部から下側に向かうに従い漸次径方向外側に向かって傾斜して延びており、周壁１５の内周面は、容器軸Ｏに平行となるように延びている。つまりこの周壁１５は、下側に向かうに従い漸次厚肉となるように形成されている。
【００２２】
周壁１５には、径方向内側に向かって突出するとともに周方向に沿って延びる環状又は円弧状の突起１７が突設されており、該突起１７は、フランジ６の外周端部にその下側から当接している。突起１７が円弧状をなす場合は、周壁１５の内周面に周方向に間隔をあけて、複数の突起１７が形成されることが好ましい。
【００２３】
天壁１６は、円環板状をなしてフランジ６上に配置されており、その径方向内側に位置する部位が大きく円形状に切り欠かれている。天壁１６は、フランジ６に溶着されたシール部材４に、その上側から当接している。天壁１６の下面は、容器軸Ｏに垂直な平面とされていて、全周にわたって面一となるように形成されている。
【００２４】
ガイド筒部１４は、嵌合筒部１３の天壁１６の内周端部に立設されている。図２に示される例では、ガイド筒部１４は、上側に向かうに従い漸次薄肉となるように形成されている。
【００２５】
図２に示されるように、ガイド筒部１４の高さ（嵌合筒部１３から上側へ向けて突出する長さ）は、該ガイド筒部１４の前方部分において最も高くされており、前方部分から側方部分にかけての領域では後方に向かうに従い漸次低くなっていき、側方部分から後方部分にかけての領域が最も低くされている。ただし、ガイド筒部１４の後方部分には、上側に向けて突出する支持凸部１９が形成されており、該支持凸部１９の高さと、ガイド筒部１４の前方部分の高さとは、互いに同一とされている。
【００２６】
本体板８は、装着筒７における嵌合筒部１３の天壁１６とガイド筒部１４との接続部分から径方向内側へ向かって延設されて、該装着筒７内に配設されている。図１に示されるように、本体板８は、全体として円板状をなしており、その外周端部が装着筒７の内周面に連結されることにより、該装着筒７に支持されている。また、図２に示される縦断面視で、本体板８は、全体として上側に向けて凸となるドーム状に形成されており、その容器軸Ｏ上に位置する中央部の高さが最も高くなっている。
【００２７】
本体板８は、シール部材４の上面との間に間隔をあけて、該シール部材４をその上側から覆うように配設されている。本体板８は、容器軸Ｏに垂直な平坦状をなすシール部材４から上側に向けて膨出するように形成されており、これらの本体板８とシール部材４との間には隙間が設けられている。
【００２８】
貫通孔９は、本体板８を容器軸Ｏ方向に貫通して形成されている。図１に示される上面視で、貫通孔９は、Ｙ字状、若しくはカップ容器１０の後方に向けて開口されたＣ字状又はＵ字状をなしている。このような貫通孔９の形状により、本体板８には、ガイド筒部１４の下端部における後方端部から前方へ向けて延びる舌片２０が形成されている。図１に示される上面視で、舌片２０は、カップ容器１０の前後方向（図１における左右方向）に長い矩形状をなしており、該舌片２０の前方端部は容器軸Ｏよりも前方に位置している。
【００２９】
図１において、貫通孔９における舌片２０の前方に位置する部分は、前方に向かうに従い漸次その幅が狭められており、該貫通孔９の最も前方に位置する端部（前方端部）ではその幅が一定とされている。図示の例では、貫通孔９の前方端部は、カップ容器１０の側方（図１における上下方向）に長い矩形状をなしている。また、貫通孔９の前方端部は、ガイド筒部１４に達している。貫通孔９における前方端部は、シール部材４が開封された際に、カップ容器１０を傾けて内容物を流出させる取出口となっている。
また、貫通孔９における舌片２０の後方に位置する部分は、該舌片２０を側方から挟むように二股状に形成されており、該貫通孔９における後方端部は、それぞれガイド筒部１４に達している。
【００３０】
回動板１１は、貫通孔９に対応する形状をなしているとともに、該貫通孔９内に収容されている。図１に示される上面視で、回動板１１は、Ｙ字状、若しくはカップ容器１０の後方に向けて開口されたＣ字状又はＵ字状をなしている。回動板１１は、該回動板１１において前方に位置する刃部２２と、後方に位置する一対の（二股状の）操作部２３と、を備えている。一対の操作部２３は、回動板１１における前方端部と容器軸Ｏとの間に位置する部分から、互いに逆向きの側方（つまり左方と右方）に向けてそれぞれ突出されているとともに、後方に向かって延びている。
尚、図示の例では、回動板１１の外周縁部から該回動板１１の外周に沿うように壁部が垂下設されており、該壁部は、この回動板１１の全周にわたって形成されている。
【００３１】
図１に示すように、回動板１１において一対の操作部２３間に位置する部分（刃部２２の後方に位置する部分）と、本体板８における舌片２０の前方端部とは、薄肉とされて弾性変形可能なヒンジ１２により連結されている。すなわち、回動板１１は、ヒンジ１２を介して本体板８に連結されており、これにより回動板１１は、本体板８に対してヒンジ１２回りに回動可能となっている。
【００３２】
そして、回動板１１においてヒンジ１２からカップ容器１０の前方に向けて延びる部位が、シール部材４を破断可能な刃部２２となっている。図１に示される上面視で、刃部２２は、前方に向かうに従い漸次その幅が狭くなるように形成されており、該刃部２２の前方端部ではその幅が一定とされている。また、図２において、刃部２２は、前方に向かうに従い漸次又は段階的に前記壁部の高さ（容器軸Ｏ方向の長さ）が大きくなるように形成されている。具体的には、刃部２２の下面が、前方に向かうに従い漸次又は段階的に下側へ向かって延びている。
【００３３】
刃部２２の下面における前方端部には、下側に向けて突出されるとともにシール部材４に切り込み可能な先鋭形状とされた先鋭刃２５が形成されている。図２に示される縦断面視で、刃部２２の下面における先鋭刃２５の後方には、先鋭刃２５よりも下側へ向けた突出量が小さい矩形板状の突起２６が形成されている。突起２６は、後述する一対の取出孔２７間に形成されている。
【００３４】
先鋭刃２５は、回動板１１において最も下側かつ径方向外側の端部に位置しており、突起２６は、先鋭刃２５よりも上側に位置している。先鋭刃２５及び突起２６と、シール部材４との間には、隙間が設けられている。この隙間は、例えば容器体２の内圧が増加するなどしてシール部材４が上側に向けて膨出した場合においても、該シール部材４が先鋭刃２５や突起２６に当接しない程度に設定されていることが好ましい。本実施形態においては、図２に示される縦断面視で、先鋭刃２５及び突起２６は、ガイド筒部１４から下側に突出しないように配置されている。
【００３５】
また、回動板１１の刃部２２には、該回動板１１をその厚さ方向に貫通する取出孔２７が形成されている。図１に示される上面視で、取出孔２７は、矩形状をなしており、刃部２２の前方端部において互いに側方に間隔をあけて一対形成されている。
刃部２２によりシール部材４が開封された際において、これらの取出孔２７内には、内容物が流通可能となっている。
【００３６】
また、回動板１１においてカップ容器１０の側方に間隔をあけて一対配置され、刃部２２からヒンジ１２を越えてカップ容器１０の後方に向けて二股状にそれぞれ延びる部位が、ヒンジ１２回りに刃部２２を回動させるための操作部２３となっている。図１に示される上面視で、操作部２３における後方端縁には、前方に向けて窪む凹部２１が形成されている。図示の例では、凹部２１は、凹曲面状に形成されている。
また、貫通孔９内における操作部２３の後方には、隙間が形成されている。図示の例では、この隙間が扇形状又は三角形状をなしている。
【００３７】
以上説明した本実施形態のカップ容器１０では、図２に示すように、容器体２の口部３にカップ容器用蓋体１が装着された状態で、該蓋体１における回動板１１の一対（二股状）の操作部２３を引き上げる（上側に向けて操作する、すなわち容器軸Ｏ方向に沿う容器外側に向けて操作する）ことで、この回動板１１においてこれら操作部２３とは反対側に位置する刃部２２が、ヒンジ１２回りに、操作部２３とは逆向きに（下側に向けて、すなわち容器軸Ｏ方向に沿う容器内側に向けて）回動させられるとともに、該刃部２２の先鋭刃２５がシール部材４に押し当てられ、該シール部材４が破断されて、容器体２の口部３の閉塞が解除される。
【００３８】
本実施形態の刃部２２には、先鋭刃２５に隣接して突起２６が形成されており、予め先鋭刃２５が破断したシール部材４の開封部分を、該突起２６でも押し広げて、シール部材４が所定範囲以上の開口面積となるように開封される。
【００３９】
このようにシール部材４が開封されることで、容器体２内と、本体板８の貫通孔９における前記取出口とが連通される。
次いで、操作者（カップ容器１０の内容物を飲む者）は、例えばガイド筒部１４の前方部分に口を付けながら、このカップ容器１０の上部を前方に向けて倒すように、該カップ容器１０を傾ける。これにより、容器体２内からシール部材４の開封部分及び貫通孔９の前記取出口を通して、内容物が容器外部に流出し、この内容物が、ガイド筒部１４の周面を伝いながら操作者の口に導入される。このとき、前記取出口から取り出された内容物がカップ容器用蓋体１から零れ落ちることは、ガイド筒部１４により抑制されることとなる。
【００４０】
本実施形態のカップ容器用蓋体１によれば、該蓋体１を構成する本体板８、回動板１１及びヒンジ１２を一体に成形でき、かつ、回動板１１が一枚の板状体からなるので、構造が簡単である。
また、このカップ容器用蓋体１は、成形後に、そのまま容器体２の口部３に装着することができる。すなわち、従来のように、カップ容器用蓋体を成形後、容器体に装着するために予め回動・係止させるなど、面倒な操作を必要としていない。
【００４１】
そして、本実施形態のカップ容器用蓋体１を容器体２に装着した状態からは、回動板１１の操作部２３を引き上げるのみの簡単な操作によって、カップ容器１０を開封できる。
さらに、操作部２３が一対設けられているため、操作者がこれらの操作部２３に複数の指をかけて操作でき、刃部２２に容易に大きな力を伝えやすくなって、開封操作が安定する。
【００４２】
また、回動板１１における操作部２３の後方端縁に、前方に向けて窪む凹部２１が形成されているので、操作部２３を引き上げる際、該凹部２１に操作者が指をかけて操作することができ、操作性が向上する。
【００４３】
また、本体板８の貫通孔９内における操作部２３の後方に、隙間が形成されているので、操作部２３を引き上げる際、該操作部２３の後方の隙間に操作者が指を差し込んで操作でき、操作性が高められている。
【００４４】
また、回動板１１の刃部２２には、該回動板１１を厚さ方向に貫通する取出孔２７が形成されているので、下記の効果を奏する。
すなわち、カップ容器１０を傾け、前述のように刃部２２により破断させられたシール部材４の開封部分を通して内容物を容器外部に取り出すときに、該刃部２２の取出孔２７を通して、貫通孔９の前方端部に位置する前記取出口から、十分な容量の内容物を安定して流出させることができる。
【００４５】
尚、本発明は前述の実施の形態に限定されるものではなく、本発明の趣旨を逸脱しない範囲において種々の変更を加えることが可能である。
【００４６】
例えば、前述の実施形態では、カップ容器用蓋体１に装着筒７が設けられており、該装着筒７を介して、本体板８が容器体２の口部３に装着されているとしたが、これに限定されるものではない。すなわち、装着筒７が設けられる代わりに、本体板８が、容器体２の口部３に直接装着されているとともに、シール部材４との間に間隔をあけて該シール部材４の上側を覆っていても構わない。
【００４７】
また、前述の実施形態では、ガイド筒部１４が一重筒状をなしているが、これに限定されるものではなく、ガイド筒部１４は二重筒状であってもよい。また、ガイド筒部１４が設けられていなくても構わない。
【００４８】
また、本体板８に開口される貫通孔９の形状が、Ｙ字状、Ｃ字状及びＵ字状のいずれかであるとしたが、これに限定されるものではない。すなわち、貫通孔９の開口形状は、前述したＹ字状、Ｃ字状及びＵ字状以外の例えばＶ字状等であってもよい。
【００４９】
また、回動板１１の刃部２２に、該回動板１１を厚さ方向に貫通する取出孔２７が形成されているとしたが、これに限定されるものではない。すなわち、取出孔２７は、例えば回動板１１の刃部２２の外周端縁から窪まされた切り欠き形状とされていてもよく、或いは、取出孔２７は形成されていなくても構わない。
【００５０】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００５１】
１  カップ容器用蓋体
２  容器体
３  口部
４  シール部材
８  本体板
９  貫通孔
１０  カップ容器
１１  回動板
１２  ヒンジ
２１  凹部
２２  刃部
２３  操作部
【図１】
2014069831.tif 000003
【図２】
2014069831.tif 000004